(57)【要約】【課題】本発明は、ユーザの必要なタイミングで音声によって装置の状態を知ることができる携帯情報装置を提供することを目的とする。【解決手段】本発明の携帯情報装置は、バッテリで駆動される携帯情報装置であって、情報を記録可能な記録媒体の記録残量を管理する記録残量管理手段と、前記携帯情報装置に対して振動が与えられたことを検出する検出手段と、音声情報を記録している音声情報記録手段と、前記音声情報記録手段から前記音声情報を再生する再生手段とを備え、前記再生手段を、前記検出手段により前記振動が検出されている期間は、前記記録残量管理手段による前記記録媒体の記録残量に応じた前記音声情報を再生するように構成したことを特徴とする。【選択図】  図２
2011082787.tif 000002
【特許請求の範囲】
【請求項１】
バッテリで駆動される携帯情報装置であって、
情報を記録可能な記録媒体の記録残量を管理する記録残量管理手段と、
前記携帯情報装置に対して振動が与えられたことを検出する検出手段と、
音声情報を記録している音声情報記録手段と、
前記音声情報記録手段から前記音声情報を再生する再生手段と
を備え、
前記再生手段を、前記検出手段により前記振動が検出されている期間は、前記記録残量管理手段による前記記録媒体の記録残量に応じた前記音声情報を再生するように構成したことを特徴とする携帯情報装置。
【請求項２】
前記バッテリの電池残量を管理するバッテリ管理手段
を備え、
前記再生手段を、前記バッテリ管理手段による前記バッテリの電池残量に応じた前記音声情報を再生するように構成したことを特徴とする請求項１記載の携帯情報装置。
【請求項３】
前記再生手段を、
前記記録残量管理手段による前記記録媒体の記録残量に応じた前記音声情報として、所定の記録残量毎に異なる音声情報を再生するとともに、
前記所定の記録残量毎に異なる音声情報の音量を、前記バッテリ管理手段による前記バッテリの電池残量に応じて異ならせて再生するように構成したことを特徴とする請求項２記載の携帯情報装置。
【発明の詳細な説明】
【技術分野】
【０００１】
本発明は、ユーザが装置自体を振ることが可能な大きさを持つ携帯情報装置に関する。
【背景技術】
【０００２】
電池で駆動する携帯型音声再生装置において、表示部の残量表示をいちいち見なくても、電池残量を知らせることができる電池残量通知装置であり、例えば、通知音として「ピッピッ」という電子音や、「電池残量が少なくなりました」と言う人の声などの別の音声を合成し、元の音声データと一緒に音声出力部から出力するが知られている(特許文献１)。
【０００３】
しかしながら、該装置では、電池残量の通知は、装置が所定の条件に合致した場合のみ音声出力で知らせるため、ユーザの必要なタイミングで残量を知ることができないという問題点があった。
【先行技術文献】
【特許文献】
【０００４】
【特許文献１】特開2008-58097号公報
【発明の概要】
【発明が解決しようとする課題】
【０００５】
従来の装置は、電池残量を音声で通知するものではあるが、ユーザの必要なタイミングで残量を知ることができないという問題点があった。
本発明は、ユーザの必要なタイミングで音声によって装置の状態を知ることができる携帯情報装置を提供することを目的とする。
【課題を解決するための手段】
【０００６】
上記目的を達成するために、本発明の携帯情報装置は、バッテリで駆動される携帯情報装置であって、
情報を記録可能な記録媒体の記録残量を管理する記録残量管理手段と、
前記携帯情報装置に対して振動が与えられたことを検出する検出手段と、
音声情報を記録している音声情報記録手段と、
前記音声情報記録手段から前記音声情報を再生する再生手段と
を備え、
前記再生手段を、前記検出手段により前記振動が検出されている期間は、前記記録残量管理手段による前記記録媒体の記録残量に応じた前記音声情報を再生するように構成したことを特徴とする。
【０００７】
また、前記バッテリの電池残量を管理するバッテリ管理手段
を備え、
前記再生手段を、前記バッテリ管理手段による前記バッテリの電池残量に応じた前記音声情報を再生するように構成したことを特徴とする。
また、前記再生手段を、
前記記録残量管理手段による前記記録媒体の記録残量に応じた前記音声情報として、所定の記録残量毎に異なる音声情報を再生するとともに、
前記所定の記録残量毎に異なる音声情報の音量を、前記バッテリ管理手段による前記バッテリの電池残量に応じて異ならせて再生するように構成したことを特徴とする。
【発明の効果】
【０００８】
本発明によれば、ユーザの必要なタイミングで音声によって装置の状態を知ることができることができる。
【図面の簡単な説明】
【０００９】
【図１】本発明の一実施の形態による携帯情報装置の概略構成図。
【図２】同実施の形態にかかわる携帯情報装置の記録残量及び電池残量に応じた効果音設定の処理のフローチャート。
【図３】同実施の形態にかかわる記録残量に対応する効果音設定の一例。
【図４】同実施の形態にかかわるバッテリの残量に対応する音量設定の一例。
【図５】同実施の形態にかかわる記録残量及び電池残量に対応する効果音設定の一例。
【発明を実施するための形態】
【００１０】
以下、図面を参照して本発明の実施の形態を説明する。
図１は、この実施の形態で説明する携帯情報装置のブロック図を示している。
なお、携帯情報装置としてしては、例えば、デジタルカメラを想定している。もちろん、これに限定されるものではなく、携帯電話と携帯情報端末(PDA)を融合させたスマートフォン(携帯端末)等でもよい。
【００１１】
図３は、この実施の形態にかかわる記録残量に対応する効果音設定の一例で、外部記憶メモリ108の記録残量と効果音との対応関係を示し、図４は、この実施の形態にかかわる電池残量に対応する効果音設定の一例で、バッテリ部106の電池残量に対応する再生音量レベルとの対応関係を示す。
【００１２】
図１において、携帯情報装置全体を制御する統括制御部101、携帯情報装置に記憶している映像データやメニューの表示，記録メディアやバッテリの残量を表示するための表示部102、携帯情報装置で扱うデータや処理を選択するための操作部103、ユーザが携帯情報装置自体を振っていることを検出するために、振動を検出するための加速度センサ104、加速度センサ104を制御する制御部105、携帯情報装置の電源となるバッテリ部106、バッテリ部106の状態の監視や制御を行う電源制御部107、映像データ等を記憶するSDカードなどの外部記憶メモリ108、外部記憶メモリ108の使用状況の監視や制御を行う外部記憶管理部109、外部記憶メモリ108の空き状態を示すための数種類の効果音データ110(具体例については、後述する図３乃至図５参照)、効果音データ110を管理する音声データ管理部111、効果音として再生する音声データを保持するメモリ112、メモリ112に格納されている音声データを再生する音声再生部113、音声再生部113からの音声データを出力するスピーカ114である。
【００１３】
図１の携帯情報装置において、ユーザによって携帯情報装置を振るなどして振動が与えられると、加速度センサ104が所定レベル以上の振動を検出してセンサ制御部105を介して統括制御部101に伝えられる。統括制御部101は、メモリ112に既に再生用音声データがセットされているかどうかをチェックし、セットされている場合は、音声再生部113に対して継続してその再生を指示する。メモリ112に再生用の音声データがセットされていない場合は、外部記憶管理部109及び電源制御部107に対して、メモリ及び電池残量の算出が指示される。
【００１４】
この結果、外部記憶管理部109では、外部記憶メモリ108の管理情報から残量の割合が算出される。算出された残量の割合は、音声データ管理部111に伝えられ、効果音データ110から、例えば、図３に示す様な残量割合に対応した音声データを取得し、メモリ112に音声データがセットされる。また、電源制御部107では、バッテリ部106の残量状態の割合を算出し、その結果を音声再生部113に伝える。音声再生部113では、図４に示す様にバッテリの残量の割合に比例するように再生音量がセットされて、メモリ112にある音声データが再生される。
【００１５】
なお、統括制御部101は、センサ制御部105から所定レベル以上の振動の検出報告が無い場合は、メモリ112にセットされている音声データのクリアを行う。
図２は、図１の携帯情報装置での記録残量及び電池残量に応じた効果音設定の処理のフローチャートである。
ステップ201で、センサ制御部105が加速度センサ104で所定のレベル以上の振動があるかどうかのチェックを行い、振動が無い場合(ステップ201でNoの場合)、効果音の設定を解除する(ステップ202)。振動がある場合(ステップ201でYesの場合)、ステップ203で、効果音が設定され、かつ効果音が再生中か否かがチェックされ、再生途中の場合(ステップ203でYesの場合)、効果音の再生が継続される(ステップ290)。
【００１６】
一方、効果音が設定されていない場合(ステップ203でNoの場合)、外部記憶管理部109により外部記憶メモリ108の残量がチェックされる。外部記憶メモリ108の記録残量が、75%以上か否か(ステップ204)，50%以上か否か(ステップ206)，25%以上か否か(ステップ208)順次チェックされ、残量に応じて、75%超対応効果音設定(ステップ205)，50%超対応効果音設定(ステップ207)，25%超対応効果音設定(ステップ209)，25%以下効果音設定(ステップ210)がされる。
【００１７】
効果音としては、図３に示すように、例えば、ステップ205では、「ピ・ピ・ピ・ピ・・ピ・ピ・ピ・ピ・・」が設定される。なお、効果音は、例えば、缶ドロップを振った場合の様に、缶の中に一杯ドロップが詰まっている場合と、殆どなくなりかけている場合では、缶から発せられる音は全く異なり、音を聞いただけで缶の中の状態を明確に区別することが可能なものが望ましく、直感的にわかりやすいものが効果的である。このため、図３の例では、記録残量に応じて「ピ」という効果音の個数を変化させている。
【００１８】
次に、電源制御部107によりバッテリ部106の残量がチェックされる。バッテリ部106の電池残量が75%以上か否か(ステップ250)，50%以上か否か(ステップ251)，25%以上か否か(ステップ252)順次チェックされ、残量に応じて、75%超対応効果音設定(ステップ253)，50%超対応効果音設定(ステップ254)，25%超対応効果音設定(ステップ255)，25%以下効果音設定(ステップ256)がされる。
【００１９】
効果音としては、図４に示すように、例えば、ステップ253では、音量がレベル5(最大音量)に設定される。
上記により、ステップ290では、音声再生部113は、図５に示すように、設定された効果音が設定された音量で再生される。つまり、ステップ201で、振動量が閾値以上の場合は、ステップ290での効果音の再生は継続し、振動量が閾値値以上でなくなる(ステップ201でNoの場合)と、効果音の設定は解除され、効果音は再生されなくなる。
【００２０】
なお、上記実施の形態では、図２に示したように、外部記憶メモリ108の記録残量(ステップ204〜210)と、バッテリ部106の電池残量(ステップ250〜256)との両方の状態に基づいて、図５に示したような音声を再生したが、外部記憶メモリ108の記録残量，バッテリ部106の電池残量のいずれかのみでもよい。なお、その場合は、バッテリ部106の電池残量は、1種類の効果音(例えば、「ピ・ピ・・ピ・ピ・・」)の音量レベルを図４のように変化させれば実現できる。
【００２１】
上記実施の形態の前提として、携帯情報装置で情報を記録する場合、失敗が無い様に常にバッテリ部106や外部記憶メモリ108の残量を意識しておく必要がある。残量の確認のために画面やボタンで確認操作が必要な場合、得てして操作に気をとられシャッターチャンス等を逃すことが多い。なお、近年、記録媒体としてフラッシュメモリなどソリッドステートメモリ(SSM)を使用するケースが増えているが、SSMは磁気テープヤディスクと異なり振動に強く、装置自体を振る行為が許容される環境が整ってきている。
【００２２】
そして、実施の形態によれば、携帯情報装置自体を振るという簡単な操作で、記録残量やバッテリの残量等装置の状態を簡単に知ることが可能となり、シャッターチャンスを逃すことや、視聴中に他の音で妨害を受ける可能性が少なくなることが期待できる。
【００２３】
さらに、ユーザが携帯情報装置を振るなどで振動を与えることをトリガーとして、外部記憶メモリ108の記録残量やバッテリ部106の電池残量を効果音で表示する実施の形態を挙げているが、表示対象は記録メディアの残量やバッテリ残量に限るものではない。また、振動の検出は、不用意に効果音が発生しない様に、使用する状況に合わせて振動レベルの調整をすることも可能である。また、振動があっても効果音が発生しない設定に切り替えることも可能である。また、効果音以外にも、光の点滅、色の変化などによる表示、それらの組み合わせでもよい。
【符号の説明】
【００２４】
104  加速度センサ
105  センサ制御部
106  バッテリ部
107  電源制御部
108  外部記憶メモリ
109  外部記憶管理部
110  効果音データ
111  音声データ管理部
112  メモリ
113  音声再生部
【図１】
2011082787.tif 000003
【図２】
2011082787.tif 000004
【図３】
2011082787.tif 000005
【図４】
2011082787.tif 000006
【図５】
2011082787.tif 000007